(57)【要約】【課題】外部開口用サッシにおける障子の室内側への倒れ込みを防止すると共に、窓枠への建て込み作業が容易な障子の振れ止め構造を提供することにある。【解決手段】振れ止め部材が取付けられた障子と、該障子の上框を嵌挿して走行自在とする走行溝が形成された上枠を有する窓枠と、を備えた外部開口用サッシにおける障子の振れ止め構造であって、前記振れ止め部材は、折曲可能で、かつ起立させると前記走行溝の側面に当接可能なフラップを有し、前記障子の窓枠への建て込み後に、このフラップを起立させ、前記走行溝の側面に当接させて障子の振れを止める構成とする。【選択図】図５
2006233432.tif 000002
【特許請求の範囲】
【請求項１】
振れ止め部材が取付けられた障子と、該障子の上框を嵌挿して走行自在とする走行溝が形成された上枠を有する窓枠と、を備えた外部開口用サッシにおける障子の振れ止め構造であって、
前記振れ止め部材は、折曲可能で、かつ起立させると前記走行溝の側面に当接可能なフラップを有し、
前記障子の窓枠への建て込み後に、このフラップを起立させ、前記走行溝の側面に当接させて障子の振れを止める構成とされた、
ことを特徴とする障子の振れ止め構造。
【請求項２】
前記振れ止め部材は、前記フラップを有する振れ止め本体部と、この振れ止め本体部とすべり対偶関係にあるスライド部と、を備え、
該スライド部が振れ止め本体部に沿って上方に摺動することによって、前記フラップが起立する構成とされ、
前記振れ止め部材は、障子の竪框内に取付けられると共に、スライド部の上方への移動は、障子の竪框の側面から操作可能とされた、請求項１記載の障子の振れ止め構造。
【請求項３】
戸先框の上端部に室内側振れ止め部材が取付けられた障子と、室外側及び室内側にそれぞれ垂下片が設けられ、これら垂下片により前記障子の上框を嵌挿して走行自在とする走行溝が形成された上枠と、前記室内側の垂下片に取付けられ、前記障子の上框に当接する上枠タイト材と、を備えた外部開口用サッシにおける引き違い障子の振れ止め構造であって、
前記室内側振れ止め部材は、折曲可能で、かつ起立させると前記上枠タイト材の上方を跨いで前記室内側の垂下片に当接可能なフラップを有する振れ止め本体部と、この振れ止め本体部とすべり対偶関係にあるスライド部と、を備え、
該スライド部が振れ止め本体部に沿って上方に摺動することによって、前記フラップが起立する構成とされ、かつ、このスライド部の上方への移動は、障子の戸先框の側面から操作可能とされ、
前記障子の窓枠への建て込み後に、このフラップを起立させ、前記室内側の垂下片に当接させて障子の振れを止める構成とされた、
ことを特徴とする引き違い障子の振れ止め構造。
【請求項４】
閉じた状態における障子の召し合せ框が投影される位置の上枠部分に、この召し合せ框の室内側の側面上端部に当接して室内側への振れを防止すると共に、障子の開閉の際の走行ガイドとなるガイド部材が取付けられた、請求項３記載の引き違い障子の振れ止め構造。
【請求項５】
前記障子の上框に、上枠の室外側の垂下片に当接して室外側への振れを防止する室外側振れ止め部材が取付けられた、請求項３又は４記載の引き違い障子の振れ止め構造。
【発明の詳細な説明】
【技術分野】
【０００１】
本発明は、外部開口用サッシにおける障子の振れ止め構造に関するものである。
【背景技術】
【０００２】
従来より、断熱性能を高めるために、引き違い障子にペアガラス等を装着する場合がある（例えば、特許文献１参照）。
【特許文献１】特開平０８―１６５８６２号公報
【発明の開示】
【発明が解決しようとする課題】
【０００３】
しかしながら、ペアガラスを装着すると障子自体が重くなること、及びペアガラス全体の厚みが厚くなるので、障子戸車芯と嵌め込まれたペアガラスの芯とにズレが生じ、ペアガラスの芯が障子戸車芯よりも室内側に位置することによって、重心が室内側に寄ってしまうため、障子の上部が室内側に倒れこむ構造になっている。そのため、上枠の室内側に取付けられたタイト材には、障子の上框は常に押し付けられるかたちとなっており、風当たりが強いときには、風圧によりタイト材への当たりが強くなり障子の開閉が重くなるという虞があった。また、障子の室内側への振れ（倒れ込み）を防止する部材を、障子上框に取付けたとしても、窓枠への建て込み時に邪魔になり、取付け作業が困難であるという問題も生じている。
【０００４】
そこで、本発明の主たる課題は、外部開口用サッシにおける障子の室内側への倒れ込みを防止すると共に、窓枠への建て込み作業が容易な障子の振れ止め構造を提供することにある。
【課題を解決するための手段】
【０００５】
上記課題を解決した本発明は、次のとおりである。
＜請求項１記載の発明＞
請求項１記載の発明は、振れ止め部材が取付けられた障子と、該障子の上框を嵌挿して走行自在とする走行溝が形成された上枠を有する窓枠と、を備えた外部開口用サッシにおける障子の振れ止め構造であって、前記振れ止め部材は、折曲可能で、かつ起立させると前記走行溝の側面に当接可能なフラップを有し、前記障子の窓枠への建て込み後に、このフラップを起立させ、前記走行溝の側面に当接させて障子の振れを止める構成とされた、ことを特徴とする障子の振れ止め構造である。
【０００６】
（作用効果）
障子に取付けられる振れ止め部材は、折曲可能で、かつ起立させると前記走行溝の側面に当接可能なフラップを有し、障子の窓枠への建て込み後に、このフラップを起立させ、前記走行溝の側面に当接させて障子の振れを止める構成とすることにより、確実に障子の振れ（倒れ込み）を防止することができ、風当たりが強いときでも障子の開閉をスムーズに行うことができると共に、窓枠への障子の建て込みの際には邪魔にならず、建て込み作業を容易にすることができる。
【０００７】
＜請求項２記載の発明＞
請求項２記載の発明は、前記振れ止め部材は、前記フラップを有する振れ止め本体部と、この振れ止め本体部とすべり対偶関係にあるスライド部と、を備え、該スライド部が振れ止め本体部に沿って上方に摺動することによって、前記フラップが起立する構成とされ、前記振れ止め部材は、障子の竪框内に取付けられると共に、スライド部の上方への移動は、障子の竪框の側面から操作可能とされた、請求項１記載の障子の振れ止め構造である。
【０００８】
（作用効果）
スライド部が振れ止め本体部に沿って上方に摺動することによって、フラップが起立する構成とすることにより、振れ止め部材の機構が簡単なため、不具合のおそれが少なく、かつ製造コストを抑えることができる。また、振れ止め部材は、障子の竪框内に取付けられると共に、スライド部の上方への移動は、障子の竪框の側面から操作可能することにより、振れ止め部材が障子の竪框の外に露出することがないので意匠的に優れたものになる。
【０００９】
＜請求項３記載の発明＞
請求項３記載の発明は、戸先框の上端部に室内側振れ止め部材が取付けられた障子と、室外側及び室内側にそれぞれ垂下片が設けられ、これら垂下片により前記障子の上框を嵌挿して走行自在とする走行溝が形成された上枠と、前記室内側の垂下片に取付けられ、前記障子の上框に当接する上枠タイト材と、を備えた外部開口用サッシにおける引き違い障子の振れ止め構造であって、前記室内側振れ止め部材は、折曲可能で、かつ起立させると前記上枠タイト材の上方を跨いで前記室内側の垂下片に当接可能なフラップを有する振れ止め本体部と、この振れ止め本体部とすべり対偶関係にあるスライド部と、を備え、該スライド部が振れ止め本体部に沿って上方に摺動することによって、前記フラップが起立する構成とされ、かつ、このスライド部の上方への移動は、障子の戸先框の側面から操作可能とされ、前記障子の窓枠への建て込み後に、このフラップを起立させ、前記室内側の垂下片に当接させて障子の振れを止める構成とされた、ことを特徴とする引き違い障子の振れ止め構造である。
【００１０】
（作用効果）
障子の窓枠への建て込み後に、このフラップを起立させ、室内側の垂下片に当接させて障子の振れを止める構成とすることにより、確実に障子の室内側への振れ（倒れ込み）を防止することができ、風当たりが強いときでも障子の開閉をスムーズに行うことができると共に、窓枠への障子の建て込みの際には邪魔にならず、建て込み作業を容易にすることができる。また、上枠タイト材の上方を跨いで室内側の垂下片に当接する構成であることにより、障子の外れ止めとしても機能させることができる。
【００１１】
＜請求項４記載の発明＞
請求項４記載の発明は、閉じた状態における障子の召し合せ框が投影される位置の上枠部分に、この召し合せ框の室内側の側面上端部に当接して室内側への振れを防止すると共に、障子の開閉の際の走行ガイドとなるガイド部材が取付けられた、請求項３記載の引き違い障子の振れ止め構造である。
【００１２】
（作用効果）
閉じた状態における障子の召し合せ框が投影される位置の上枠部分に、この召し合せ框の室内側の側面上端部に当接して室内側への振れを防止するガイド部材が取付けられた構成により、戸先框の上端部に取付けられた室内側振れ止め部材と共同して、召し合せ框側と戸先框側との両端で障子を支持することができ、障子の室内側への振れを防止することができる。また、このガイド部材により障子の開閉の際の走行をガイドし、障子の外れを防止することができる。
【００１３】
＜請求項５記載の発明＞
請求項５記載の発明は、前記障子の上框に、上枠の室外側の垂下片に当接して室外側への振れを防止する室外側振れ止め部材が取付けられた、請求項３又は４記載の引き違い障子の振れ止め構造である。
【００１４】
（作用効果）
障子の上框に、上枠の室外側の垂下片に当接して室外側への振れを防止する室外側振れ止め部材が取付けられたことにより、障子の室外側への振れ（倒れ込み）を防止することができる。
【発明の効果】
【００１５】
本発明によれば、外部開口用サッシにおける障子の室内側への倒れ込みを防止すると共に、窓枠への建て込み作業が容易化することができる等の利点がもたらされる。
【発明を実施するための最良の形態】
【００１６】
以下、本発明の実施の形態を説明する。
図１は外部開口用サッシにおける引き違いサッシ（引き違い障子）の横断面図であり、図２は同縦断面図である。この外部開口用サッシの窓枠２６は、上枠４、下枠３、及び左右の竪枠５ａ，５ｂを四周枠組みして構成されており、このサッシ枠内に外障子１と内障子２を引き違い状に備えている。外障子１は、上框９ａ、下框８ａ、戸先框７ａ、及び召し合せ框６ａを四周框組みした内部にガラスパネル２７を嵌め込んで形成してある。内障子２も同じように、上框９ｂ、下框８ｂ、戸先框７ｂ、及び召し合せ框６ｂを四周框組みした内部にガラスパネル２７を嵌め込んで形成してある。そして、内外障子１，２は、召し合せ框６ａ，６ｂ間に設けたクレセント（図示省略）により施錠されるものである。
【００１７】
上枠４は、図２に示すように、下面２８と、室内側垂下片２９と、その室外側に位置する中間垂下片３０とで、内障子２の上端部を嵌挿して走行自在とする内障子走行溝３１を形成してあり、中間垂下片３０の室外側に間隔をおいて配置した室外側垂下片３２を、外障子１の上端係合部としている。室内側垂下片２９の下部室外側面には、左右方向に上枠タイト材ホルダー３３ｂを設けてあり、そこに室内側上枠タイト材３４ｂを取付けてある。この室内側上枠タイト材３４ｂは、内障子上框９ｂ室内側面に当接する。中間垂下片３０の下部室外側面には、左右方向に上枠タイト材ホルダー３３ａを設けてあり、そこに室外側上枠タイト材３４ａを取付けてある。この室外側上枠タイト材３４ａは、外障子上框９ａ室内側面に当接するものである。
【００１８】
下枠３は、図２に示すように、室外側の外側基板１２と、外側基板１２よりも室内側上方に位置する内側基板１３とを階段状に設けてあり、外側基板１２には外障子走行レール３５を設け、内側基板１３の室内外方向略中央部に内障子走行レール１４を設けてある。室内側端部に位置する起立壁３６の上端部室外側面には、サッシ枠長手方向（左右方向）に下枠タイト材ホルダー１８ｂを形成してあり、そのタイト材ホルダー１８ｂの、図１に示すように閉鎖状態の内障子２の室内側面と対向する範囲に、室内側下枠タイト材１７ｂを取付けている。この室内側下枠タイト材１７ｂは、内障子下框８ｂの室内側面に当接する。内側基板１３の室外側端面にも、左右方向に下枠タイト材ホルダー１８ａを設けてあり、そのタイト材ホルダー１８ａの、図１に示すように閉鎖状態の外障子１の室内側面と対向する範囲に、室外側下枠タイト材１７ａを取付けている。この室外側下枠タイト材１７ａは、外障子下框８ａの室内側面に当接するものである。なお、内側基板１３の、左右方向略中央部における内障子走行レール１４の室外側には、図１に示すように、水抜き用切り欠き１５を形成してある。  
【００１９】
内障子２の戸先框７ｂの中空部４３には、図３乃至図７に示すように、その上端部から室内側への振れ（倒れ込み）を防止する室内側振れ止め部材２０が挿嵌されている。なお、図３は内障子の戸先框の右竪枠側側面を見た立面図であり、図４は内障子を窓枠内に建て込む前の室内側振れ止め部材の状態を示す説明図であり、図５は内障子を窓枠内に建て込んだ後の室内側振れ止め部材の状態を示す説明図であり、図６はその室内側から見た正面図であり、図７はその平面図であり、図８はスライド部の正面図であり、図９はその側面図であり、図１０はその背面図であり、図１１はその平面図であり、図１２は振れ止め本体部の正面図であり、図１３はその側面図であり、図１４はその背面図であり、図１５はスライド部と振れ止め本体部とが係合している状態を示す横断面図である。
室内側振れ止め部材２０は、振れ止め本体部２１とスライド部２２とを備えており、これら振れ止め本体部２１とスライド部２２とですべり対偶の関係を形成している。振れ止め本体部２１は、断面略Ｌ型で構成され、正面と側面の２面でスライド部２２の摺動方向を規制するスライドガイド２１ａと、このスライドガイド２１ａの側面の上端に支持され、この上端縁を支持部として折曲可能で、起立すると上枠４の室内側垂下片２９に当接可能なフラップ２１ｂと、スライド部２２の摺動方向を規制すると共に、スライド部２２に係合するための係合爪２１ｃと、を備えている。フラップ２１ｂは、スライドガイド２１ａの側面の上端に支持され、この上端縁を支持部として折曲可能なフラップ片１２１ａと、このフラップ片１２１ａの先端に設けられた当接突起部１２１ｂとからなっている。振れ止め本体部２１は、プラスチック等の樹脂などからなっている。なお、２１ｄは上框９ｂと戸先框７ｂを螺着させるビス４０のビス頭の厚みをかわすためのビス孔である。
【００２０】
スライド部２２は、振れ止め本体部２１のスライドガイド２１ａと組み合わさってすべり対偶関係を形成するプレート２２ａと、振れ止め本体部２１の係合爪２１ｃを摺動可能に係合するスライド溝２２ｂと、振れ止め本体部２１と当接する面の反対面に設けられたビス孔突起２２ｃと、を備えている。このビス孔突起２２ｃは、戸先框７ｂの右竪枠側側面４１に縦長に形成されたビス孔４１ａからビス４２が螺着されるものである。ビス孔４１ａが縦長に形成されているのは、内障子２を窓枠２６内に建て込んだ後に、戸先框７ｂの右竪枠側側面４１から、このビス孔突起２２ｃを介してプレート２２ａを上方にスライドさせ、室内側振れ止め部材２０のフラップ２１ｂを起立させ、当接突起部１２１ｂを上枠４の室内側垂下片２９に当接させた状態でスライド部２２を固定するためである。このビス孔突起２２ｃは、ビス孔突起２２ｃの突起面と右竪枠側側面４１とがビス４２の引き寄せによって当接して摩擦力により固定され、スライド部２２が上下にスライドすることが防止される。
【００２１】
スライド部２２が上方に摺動することによって、スライドガイド２１ａの側面に対向する部分のプレート２２ａの角が、中空部４３の内側方向に折り曲げられたフラップ片１２１ａを起立させるものである。そして、最終的には、プレート２２ａの上端とフラップ２１ｂの上端が一致するところまでスライド部２２が上方に移動する。この状態では、当接突起部１２１ｂが上枠４の室内側垂下片２９に当接することによる室外側方向への反力がプレート２２ａの側面を介して室内側振れ止め部材２０から戸先框７ｂに伝達され、室内側方向への内障子２の振れ止めが防止されるものである。なお、２２ｄは、戸先框７ｂの中空部に嵌合し、スライド部２２の位置を保持する上部突起である。
【００２２】
内障子２を窓枠２６内に建て込む際における、室内側振れ止め部材２０の操作について以下に説明する。
まず、内障子２を窓枠２６内に建て込む前に、予め振れ止め本体部２１は、戸先框７ｂの中空部４３内に挿入し嵌合させておく。このとき、スライド部２２は図４に示すように、スライドガイド２１ａの上端とプレート２２ａの上端とが一致するように下方に下げておくと共に、フラップ片１２１ａを中空部４３の内側方向に折り曲げておく。この状態では、フラップ２１ｂの当接突起部１２１ｂが戸先框７ｂの室内側面よりも室内側に飛び出てはいない。そして、フラップ片１２１ａを中空部４３の内側方向に折曲させた状態で、窓枠２６内に建て込む。
【００２３】
次に、戸先框７ｂの右竪枠側側面４１からビス孔４１ａを介して、ビス４２をビス孔突起２２ｃに軽く螺合させる。そして、このビス４２を上方に持ち上げることで、図５に示すように、プレート２２ａを上方にスライドさせ、室内側振れ止め部材２０のフラップ２１ｂを起立させ、当接突起部１２１ｂを上枠４の室内側垂下片２９に当接させる。そして、この状態でビス４２をビス孔突起２２ｃに最後まで螺着させ、スライド部２２が上下に動かないように固定するものである。
【００２４】
このように、上枠４の室内側垂下片２９に当接するフラップ２１ｂを、内障子２の窓枠２６内への建て込み後に手動により起立させ、室内側上枠タイト材３４ｂの上方を跨いで室内側垂下片２９に当接する構成であることにより、確実に内障子２の室内側への振れ（倒れ込み）を防止することができると共に、窓枠２６への内障子２の建て込みの際には邪魔にならず、建て込み作業を容易にすることができる。また、前述した室内側上枠タイト材３４ｂの上方を跨いで室内側垂下片２９に当接する構成であることにより、内障子２の外れ止めとしても機能させることができる。さらに、室内側振れ止め部材２０は、内障子２の戸先框７ｂの中空部４３内に取付けられると共に、スライド部２２の上方への移動は、内障子２の戸先框７ｂの右竪枠側側面４１から操作可能することにより、室内側振れ止め部材２０が内障子２の戸先框７ｂの外に露出することがないので意匠的に優れたものになる。
【００２５】
内障子２の上框９ｂの室外側起立片４４ａと室内側起立片４４ｂとによって形成される上端部の溝には、図１６乃至図２０に示すように、所定の間隔をおいて、室外側振れ止め部材２３が取付けられている。なお、図１６は上框に室外側振れ止め部材を取付けた状態を示す縦断面図であり、図１７はその正面図であり、図１８は室外側振れ止め部材の正面図であり、図１９はその平面図であり、図２０はそのI−I縦断面図である。
室外側振れ止め部材２３は、上框９ｂの上端部溝に嵌合される嵌合部２３ａと、この嵌合部２３ａの室内側側面に形成され、室外側起立片４４ａに係止される係止爪２３ｂと、を備えている。この室外側振れ止め部材２３が内障子２の上框９ｂに嵌合されることにより、係止爪２３ｂが上枠４の中間垂下片３０と上框９ｂの室外側起立片４４ａとの間に挟まれるかたちとなり、上枠４の中間垂下片３０と上框９ｂの室外側起立片４４ａとが直接接触することを防止すると共に、内障子走行溝３１を走行自在とする内障子２の上框９ｂが室外側への振れること（倒れ込み）を防止している。
【００２６】
上枠４の内障子走行溝３１の長手方向中央部（内障子２を閉じた状態における、内障子２の召し合せ框６ｂの上端近傍部分）には、図２１乃至図２６に示すように、室内側ガイド部材２４が取付けられている。なお、図２１は室内側ガイド部材を上枠に取付けた状態を示す縦断面図であり、図２２は障子を閉じた状態で、内障子と室内側ガイド部材との配置関係を説明するための平面図であり、図２３は室内側ガイド部材を取付けた状態の上枠を下から見上げた状態を示す説明図であり、図２４は室内側ガイド部材の正面図であり、図２５はその側面図であり、図２６はその底面図である。
室内側ガイド部材２４は、内障子走行溝３１に嵌合する断面略逆Ｌ型の嵌合部２４ａと、この嵌合部２４ａに取付けられたヒレ部２４ｂと、嵌合部２４ａの側面に突出して設けられたガイド部２４ｃと、を備えている。このヒレ部２４ｂは、その先端が召し合せ框６ｂの上端に当接するように構成されており、ガイド部２４ｃは、図２１に示すように、縦断面で、内側上枠タイト材３４ｂと同位置になるように取付けられている。
【００２７】
この構成により、内障子２を閉じた状態では、ヒレ部２４ｂは、召し合せ框６ｂの上端と上枠４との間との水密・気密性を確保している。また、内障子２を閉じた状態では、前述した室内側振れ止め部材２０が、内障子２の戸先框７ｂ側で室内側への振れ（倒れ込み）を防止しているが、一方、ガイド部２４ｃが内障子２の召し合せ框６ｂ側で内障子２の室内側への振れ（倒れ込み）を防止する構成となっている。さらに、開閉のための内障子２の走行状態では、内障子２の上框９ｂの室内側への振れ（倒れ込み）を防止するようになっている。室内側ガイド部材２４は、戸先框７ｂの上端部に取付けられた室内側振れ止め部材２０と共同して、召し合せ框６ｂ側と戸先框７ｂ側との両端で内障子２を支持することができ、内障子２の室内側への振れを防止することができる。
【００２８】
なお、本発明に係る外部開口用サッシにおける障子の振れ止め構造は、図示はしないが、内障子に限らず、外障子も適用できるものである。また、引き違い障子に限らず、図示はしないが、片引きサッシの片引き障子又は引き分けサッシの引き分け障子にも適用できる。    
【図面の簡単な説明】
【００２９】
【図１】外部開口用サッシにおける引き違い障子の横断面図である。
【図２】その縦断面図である。
【図３】内障子の戸先框の右竪枠側側面を見た立面図である。
【図４】内障子を窓枠内に建て込む前の室内側振れ止め部材の状態を示す説明図である。
【図５】内障子を窓枠内に建て込んだ後の室内側振れ止め部材の状態を示す説明図である。
【図６】その室内側から見た正面図である。
【図７】その平面図である。
【図８】スライド部の正面図である。
【図９】その側面図である。
【図１０】その背面図である。
【図１１】その平面図である。
【図１２】振れ止め本体部の正面図である。
【図１３】その側面図である。
【図１４】その背面図である。
【図１５】スライド部と振れ止め本体部とが係合している状態を示す横断面図である。
【図１６】上框に室外側振れ止め部材を取付けた状態を示す縦断面図である。
【図１７】その正面図である。
【図１８】室外側振れ止め部材の正面図である。
【図１９】その平面図である。
【図２０】そのI−I縦断面図である。
【図２１】室内側ガイド部材を上枠に取付けた状態を示す縦断面図である。
【図２２】障子を閉じた状態で、内障子と室内側ガイド部材との配置関係を説明するための平面図である。
【図２３】室内側ガイド部材を取付けた状態の上枠を下から見上げた状態を示す説明図である。
【図２４】室内側ガイド部材の正面図である。
【図２５】その側面図である。
【図２６】その底面図である。
【符号の説明】
【００３０】
１…外障子、２…内障子、３…下枠、４…上枠、５ａ，５ｂ…竪枠、６ａ，６ｂ…召し合せ框、７ａ，７ｂ…戸先框、８ａ，８ｂ…下框、９ａ，９ｂ…上框、１０…竪タイト材、１２…外側基板、１３…内側基板、１４…内障子走行レール、１５…水抜き用切り欠き、１６…、１７ａ，１７ｂ…下枠タイト材、１８ａ，１８ｂ…下枠タイト材ホルダー、２０…室内側振れ止め部材、２１…振れ止め本体部、２１ａ…スライドガイド、２１ｂ…フラップ、２１ｃ…係合爪、２２…スライド部、２２ａ…プレート、２２ｂ…スライド溝、２２ｃ…ビス孔突起、２３…室外側振れ止め部材、２３ａ…嵌合部、２３ｂ…係止爪、２４…室内側ガイド部材、２４ａ…嵌合部、２４ｂ…ヒレ部、２４ｃ…ガイド部、２６…窓枠、２７…ガラスパネル、２８…下面、２９…室内側垂下片、３０…中間垂下片、３１…内障子走行溝、３２…室外側垂下片、３３ａ，３３ｂ…上枠タイト材ホルダー、３４ａ，３４ｂ…室外側上枠タイト材、３５…外障子走行レール、３６…起立壁、４０…ビス、４１…戸先框の右竪枠側側面、４１ａ…ビス孔、４２…ビス、４３…中空部、４４ａ…室外側起立片、４４ｂ…室内側起立片、１２１ａ…フラップ片、１２１ｂ…当接突起部。
【図１】
2006233432.tif 000003
【図２】
2006233432.tif 000004
【図３】
2006233432.tif 000005
【図４】
2006233432.tif 000006
【図５】
2006233432.tif 000007
【図６】
2006233432.tif 000008
【図７】
2006233432.tif 000009
【図８】
2006233432.tif 000010
【図９】
2006233432.tif 000011
【図１０】
2006233432.tif 000012
【図１１】
2006233432.tif 000013
【図１２】
2006233432.tif 000014
【図１３】
2006233432.tif 000015
【図１４】
2006233432.tif 000016
【図１５】
2006233432.tif 000017
【図１６】
2006233432.tif 000018
【図１７】
2006233432.tif 000019
【図１８】
2006233432.tif 000020
【図１９】
2006233432.tif 000021
【図２０】
2006233432.tif 000022
【図２１】
2006233432.tif 000023
【図２２】
2006233432.tif 000024
【図２３】
2006233432.tif 000025
【図２４】
2006233432.tif 000026
【図２５】
2006233432.tif 000027
【図２６】
2006233432.tif 000028